(57)【要約】      （修正有）【課題】ハンドルの振動あるいはぐらつきを減らしたモップ脱水機を提供する。【解決手段】桶体、回転盤、ハンドル及び伝動装置を包含する。桶体の対称位置の上端に凸耳が形成され、凸耳内に挿入溝が形成され、凸耳の外側に挿入溝に連通する長孔が形成される。回転盤は桶体中に置かれ、ハンドルに凹溝と二つの挿入部が形成される。挿入部の外側に凸柱が凸設され、凸柱が長孔を貫通して長孔に沿って摺動可能とされ、ハンドルが該桶体に対して平置位置と直立位置の間で回転可能である。ハンドルが直立位置にある時は、挿入部が挿入溝中に挿入され、平置位置にある時は、挿入部は挿入溝外に位置する。伝動装置は底座と、底座に枢設されたペダルと、遊星歯車セット及び遊星歯車セットに駆動されて増速回転する回転軸を備える。【選択図】図１
0003152259.tif 000002
【実用新案登録請求の範囲】
【請求項１】
モップ脱水機において、
桶体であって、上端に二つの凸耳が形成され、各該凸耳内に挿入溝が形成され、該凸耳の外側に該挿入溝に連通する長孔が形成された上記桶体と、
該桶体中に設置された回転盤と、
ハンドルであって、その中段位置に凹溝が形成され、両端位置に挿入部を具え、該挿入部の外側に凸柱が凸設され、該凸柱は該挿入溝内を通り該長孔内に挿入され、並びに該長孔に沿って摺動可能で、該ハンドルが該桶体に対して平置位置と直立位置の間で回転可能で、該ハンドルが直立位置にある時、該挿入部が該桶体の該挿入溝中に挿入され、該ハンドルが平置位置にある時、該挿入部は該挿入溝外に位置する上記ハンドルと、
伝動装置であって、底座と、ペダルと、遊星歯車セット、及び回転軸を具え、該底座は該桶体内部に固定され、収容室を具え、該収容室の周壁に環状歯を具え、該ペダルは該底座に枢接されて、踏み込み始点から踏み込み終点の間を往復して回転可能で、該ペダルはラックを具え、該遊星歯車セットは該収容室中に置かれ、太陽歯車、複数の遊星歯車及び伝動歯車を具え、該太陽歯車は該収容室中に置かれ、これら遊星歯車は等間隔で該太陽歯車と該環状歯車間に噛み合い、該伝動歯車はこれら遊星歯車の中心に枢接され並びに該ペダルのラックと噛み合い、該回転軸は該太陽歯車の軸心に挿入されて該太陽歯車に協働し、該回転軸は該回転盤に固定された上記伝動装置と、
を包含したことを特徴とする、モップ脱水機。
【請求項２】
請求項１記載のモップ脱水機において、該底座は底板及び該底板に直立状に接続された二つの立柱を具え、該底板の該二つの立柱間の上面に、所定形態の収容室が下向きに凹設され、該ペダルは、二つの該立柱間に枢接され、且つ該ペダルは二つのバネの作用を受け、該ペダルが力を受けていない時、常にペダル始点の位置を保持し、
これら遊星歯車の中心位置に連接孔が形成され、該伝動歯車は遊星枠、該遊星枠の上端に接続された伝動環状歯及び該遊星枠の底端に接続され等間隔で配列された複数の連接柱を具え、各該伝動環歯は該ラックに噛み合い、各該連接柱は各該遊星歯車の連接孔中に通され、該伝動歯車が該ラックの作用を受けて回転する時、これら遊星歯車を駆動して該環状歯に沿って自転させ及び該太陽歯車に対して公転させ、並びに該太陽歯車を駆動して増速回転させ、該遊星歯車セットは更にカバーを具え、該カバーは該底座の該収容室の開口を閉じて該収容室内の部品の脱出を防止し、且つ該伝動歯車は局部が該カバー外に伸出し、該ペダルのラックと噛み合い、
該桶体の該挿入溝の開口に位置する一側にストッパブロックが凸設され、該ストッパブロックが該ハンドルを単一方向に回転して平置位置に至るように制限し、該挿入溝は錐形溝とされて、溝底より上方開口に向けてその内径が漸増し、該挿入部は錐状を呈して自由端より別端に向けてその外径が漸増し、
該ハンドルはハンドル本体と調整クランプシートを包含し、該挿入部は該ハンドル本体の二端に形成され、該凹溝は該ハンドル本体の中段位置に形成され、該凹溝の一側の壁面に嵌合溝が形成され、該調整クランプシートはＣ形クランプ形態とされて挟持溝を具え、該調整クランプシートの外側に嵌合部が形成され、該調整クランプシートが該嵌合部により該ハンドル本体の嵌合溝中に嵌合して該凹溝内に取り外し自在に固定されたことを特徴とする、モップ脱水機。
【請求項３】
請求項１記載のモップ脱水機において、該伝動装置はさらに、
二つの位置決め軸受であって、その一方が該底座に置かれ、もう一方が該桶体に置かれ、且つこれら位置決め軸受は同一中心線上に位置して該回転軸が通され、該回転軸を該桶体と該底座に対して回転可能とする、上記二つの位置決め軸受と、
フライホイールであって、その中心位置が該回転軸と接続され、該回転軸の回転時の慣性力を提供する、上記フライホイールと、
逆止め軸受であって、該太陽歯車の中心に貫通する穿孔が設けられて該逆止め軸受が収容され、該回転軸が該逆止め軸受を通り、該ペダルが該踏み込み始点から該踏み込み終点まで回転する時、太陽歯車と逆止め軸受が該回転軸を駆動し回転させ、該ペダルが踏み込み終点から踏み込み始点に回転する時、該逆止め軸受と該回転軸間が空転を形成し、該穿孔が該太陽歯車の上面より下向きに延伸あれた第１穿孔と該太陽歯車の底面より上向きに延伸された第２穿孔を連通させてなり、且つ該第１穿孔の内径が該第２穿孔の内径より大きく、該第１穿孔と該第２穿孔の内壁の接続部分にストッパ縁が形成され、該ストッパ縁に該逆止め軸受が置かれる、上記逆止め軸受と、
を包含したことを特徴とする、モップ脱水機。
【請求項４】
モップ脱水機において、
桶体であって、上端に二つの凸耳が形成され、各該凸耳内に挿入溝が形成され、該凸耳の外側に該挿入溝に連通する長孔が形成された上記桶体と、
該桶体中に設置された回転盤と、
伝動装置であって、該桶体中に設置され、使用者の踏み込みにより該回転盤を回転させる上記伝動装置と、
ハンドルであって、その中段位置に凹溝が形成され、両端位置に挿入部を具え、該挿入部の外側に凸柱が凸設され、該凸柱は該挿入溝内を通り該長孔内に挿入され、並びに該長孔に沿って摺動可能で、該ハンドルが該桶体に対して平置位置と直立位置の間で回転可能で、該ハンドルが直立位置にある時、該挿入部が該桶体の該挿入溝中に挿入され、該ハンドルが平置位置にある時、該挿入部は該挿入溝外に位置する上記ハンドルと、
を包含したことを特徴とする、モップ脱水機。
【請求項５】
請求項４記載のモップ脱水機において、
該桶体の該挿入溝の開口に位置する一側にストッパブロックが凸設され、該ストッパブロックが該ハンドルを単一方向に回転して平置位置に至るように制限し、
該挿入溝は錐形溝或いは斜面とされて、溝底より上方開口に向けてその内径が漸増し、該挿入部は錐状を呈して自由端より別端に向けてその外径が漸増し、
該ハンドルはハンドル本体と調整クランプシートを包含し、該挿入部は該ハンドル本体の二端に形成され、該凹溝は該ハンドル本体の中段位置に形成され、該凹溝の一側の壁面に嵌合溝が形成され、該調整クランプシートはＣ形クランプ形態とされて挟持溝を具え、該調整クランプシートの外側に嵌合部が凸設され、該調整クランプシートが該嵌合部により該ハンドル本体の嵌合溝中に嵌合して該凹溝内に取り外し自在に固定されたことを特徴とする、モップ脱水機。
【考案の詳細な説明】
【技術分野】
【０００１】
本考案はモップ脱水機に係り、さらに詳しくは、従来のものより省力でき、使用上、更に便利であるモップ脱水機に関する。
【背景技術】
【０００２】
一般にモップは濡らされた後、使用者は両手を使ってモップ糸が吸収した水分を絞らなければならない。しかし、この動作は使用者の両手を汚す。このため、既にある業者はモップの水分を遠心力を利用して撥ね飛ばすモップ脱水機を提供しており、その主要な構造は、機械式の伝動機構を桶体内に取付け、該桶体により該伝動機構がモップ回転後に撥ね飛ばされた水分を収集するものである。
【考案の概要】
【考案が解決しようとする課題】
【０００３】
現在市販されているモップ脱水機の伝動機構には、多くの異なる伝動方式があり、傘歯車の方式での伝動、コード方式の伝動、或いは大小の歯車による伝動があるが、いずれも最終的には動力を回転軸に伝動し、該回転軸で回転盤を回転させる。これらの各種の伝動方式、構造はいずれも使用者がペダルを踏んでペダルを回転させる行程を、一対一の関係で回転軸の回転数に変換し、有効に増速ができず、使用者は急速に続けてペダルを踏んで往復して回転させることで回転盤の回転速度をアップさせなければならず、使用上、力を費やし、時間がかかる問題がある。
【０００４】
このほか、伝統的なモップをモップ脱水機の回転盤内において回転させる時、モップの中心を固定する装置がなく、ゆえに回転時に偏りを発生しやすく、このためモップ脱水機全体がぐらつく状況が発生しうる。
【０００５】
本考案者は桶体に設置されたハンドルに、モップの柄を収容できる凹溝を設け、該ハンドルを直立させると該凹溝によりモップを回転盤の中心位置に位置決めできるようにし、これによりモップの重量偏りにより発生する脱水機のぐらつきの問題を改善した。しかし、ハンドルをモップを回転盤の中心位置に位置決めしても尚、モップの回転時に発生するぐらつきのエネルギーは物理伝導効果によりハンドルに伝わり、ハンドルと桶体が枢接状態とされるため、ハンドルのぐらつきが極めて明かで、且つハンドルが該桶体と有効に位置決め、結合されていないため、直立状態のハンドルが該桶体に対してぐらつく（振動する）問題を有する。
【０００６】
このため、本考案の主要な目的は、ハンドルの振動或いはぐらつきを減らしたモップ脱水機を提供することにある。
【０００７】
本考案の別の主要な目的は、増速でき、使用上、省力、時間節約を達成できるモップ脱水機を提供することにある。
【課題を解決するための手段】
【０００８】
本考案のモップ脱水機は、桶体であって、上端に二つの凸耳が形成され、各該凸耳内に適当な傾斜度を有する挿入溝が形成され、該凸耳の外側に該挿入溝に連通する長孔が形成された上記桶体と、該桶体中に設置された回転盤と、ハンドルであって、その中段位置に凹溝が形成され、両端位置に挿入部を具え、該挿入部の外側に凸柱が凸設され、該凸柱は該挿入溝内を通り該長孔内に挿入され、並びに該長孔に沿って摺動可能で、該挿入部が該挿入溝に対応する傾斜設計とされ、該挿入部と該挿入溝の結合により緊迫結合の効果を達成し、該ハンドルが該桶体に対して平置位置と直立位置の間で回転可能で、該ハンドルが直立位置にある時、該挿入部が該挿入溝中に挿入され、該ハンドルが平置位置にある時、該挿入部は該挿入溝外に位置する上記ハンドルと、伝動装置であって、底座と、ペダルと、遊星歯車セット、及び回転軸を具え、該底座は該桶体内部に固定され、収容室を具え、該収容室の周壁に環状歯を具え、該ペダルは該底座に枢接されて、踏み込み始点から踏み込み終点の間を往復して回転可能で、該ペダルにラックがあり、該遊星歯車セットは該収容室中に置かれ、太陽歯車、複数の遊星歯車及び伝動歯車を具え、該太陽歯車は該収容室中に置かれ、これら遊星歯車は等間隔で該太陽歯車と該環状歯車間に噛み合い、該伝動歯車はこれら遊星歯車の中心に枢接され並びに該ペダルのラックと噛み合い、該回転軸は該太陽歯車の軸心に挿入されて該太陽歯車に協働し、該回転軸は該回転盤に接続された上記伝動装置と、を包含する。
【考案の効果】
【０００９】
本考案は、ハンドルの振動或いはぐらつきを減らしたモップ脱水機を提供している。
【００１０】
本考案はまた、増速でき、使用上、省力、時間節約を達成できるモップ脱水機を提供している。
【図面の簡単な説明】
【００１１】
【図１】本考案の実施例の立体分解図である。
【図２】図１の実施例の立体組合せ図である。
【図３】図１の実施例の組合せ断面図である。
【図４】図１の実施例の局部部品立体分解図である。
【図５】図１の実施例の局部部品組合せ断面図である。
【図６】図１の実施例の局部部品作動表示図である。
【図７】図１の実施例の局部部品組合せ表示図である。
【図８】図１の実施例の局部部品作動表示図である。
【考案を実施するための形態】
【００１２】
図１から図８は本考案の好ましい実施例の提供するモップ脱水機１００を示し、それは、桶体１０、伝動装置２０、回転盤３０及びハンドル４０を包含する。
【００１３】
図１から図３に示されるように、該桶体１０は開口が上向きの桶状体とされ、内部に隣り合うが連通しない動力収容室１１及び積水収容室１２が形成され、該桶体１０の上端外側に二つの対称位置にある凸耳１３があり、該凸耳１３に開口が上向きの挿入溝１３１と該挿入溝１３１と外部に連通する長孔１３２が形成され、並びに該挿入溝１３１の開口の一側にストッパブロック１３３が凸設され、且つ該挿入溝１３１は錐形溝とされ、それは溝底から上方開口へと幅が漸増する。
【００１４】
図３から図６に示されるように、該伝動装置２０は底座２１、ペダル２２、二つの位置決め軸受２３、フライホイール２４、遊星歯車セット２５、逆止め軸受２６、回転軸２７を包含する。
【００１５】
そのうち、該底座２１は該桶体１０の動力収容室１１内部に固定され、該底座２１は底板２１１及び該底板２１１に直立状に接続された二つの立柱２１２を具え、該底板２１１の該二つの立柱２１２間の上面に、所定形態の収容室２１３が下向きに凹設され、該収容室２１３に下から上に順に連通状態の軸受収容エリア、フライホイール収容エリア、及び歯車収容エリアが画定され、且つ該歯車収容エリアの内周壁面に環状歯２１４が形成されている。
【００１６】
該ペダル２２は、一端が該底座２１の二つの立柱２１２間に枢接され、別端は桶体１０外に突伸し、該ペダル２２は力を受けて踏み込み始点から踏み込み終点まで往復して回転し、該ペダル２２は並びに二つのバネ２２１の作用を受け、該ペダル２２が力を受けない時には、常にペダル始点の位置を保持する。該ペダル２２に一体に、略円弧状に延伸されたラック２２２が形成されている。
【００１７】
二つの該位置決め軸受２３は、その一方が該底座２１の軸受収容エリア中に置かれ、もう一方が該桶体１０上に置かれ、且つ二つの該位置決め軸受２３は同一中心線上に位置する。
【００１８】
該フライホイール２４は所定重量を有する円柱体とされ、且つその中心位置に上下を貫通する貫通孔２４１を具え、該フライホイール２４は該底座２１のフライホイール収容エリア中に置かれる。
【００１９】
該遊星歯車セット２５は、太陽歯車２５１、三つの遊星歯車２５２、伝動歯車２５３及びカバー２５４を具えている。該太陽歯車２５１は該底座２１の歯車収容エリアの中央位置に置かれ、且つ該太陽歯車２５１の中心に貫通する穿孔２５５がモップ脱水機、該穿孔２５５は該太陽歯車２５１の上面より下向きに延伸された第１穿孔と該太陽歯車２５１の底面より上向きに延伸された第２穿孔が連通してなり、且つ該第１穿孔の内径は該第２穿孔の内径より大きく、該第１穿孔と該第２穿孔の内壁の接続部分にストッパ縁２５６が設けられている。これら遊星歯車２５２は該底座２１の歯車収容エリア中に置かれ、並びに等距離に配列されて該太陽歯車２５１と該環状歯２１４の間に置かれ、これら遊星歯車２５２の中心位置に連接孔２５７が形成されている。該伝動歯車２５３は該底座２１の歯車収容エリア中に置かれ、遊星枠５３１、該遊星枠５３１の上端に接続された伝動環状歯５３２及び該遊星枠５３１の底端に接続され等間隔で配列された三つの連接柱５３３を具え、各該連接柱５３３が各該遊星歯車２５２の連接孔２５７中に通される。該カバー２５４は該底座２１の収容室２１３の開口上を閉じ、これにより該収容室２１３内の部品の脱出を防止し、且つ該伝動歯車２５３の伝動環歯５３２が該カバー２５４外に伸出（該収容室２１３外に露出）し、該ペダル２２のラック２２２と噛み合う。
【００２０】
該逆止め軸受２６は、該遊星歯車セット２５の太陽歯車２５１の穿孔２５５の第１穿孔内に置かれ、並びにストッパ縁２５６と当接する。
【００２１】
該回転軸２７は、該伝動歯車２５３、カバー２５４、太陽歯車２５１、逆止め軸受２６、フライホイール２４の中心を通り、並びに二つの該位置決め軸受２３に受けられて該回転軸７０が原地でフライホイール２４と同期に回転する。
【００２２】
図１から図５に示されるように、該回転盤３０は該動力収容室１１中で伝動装置２０の上方位置に位置し、並びに該回転軸２７の一端に固定され、該回転盤３０が該回転軸２７と協働する。
【００２３】
図１及び図２に示されるように、該ハンドル４０はハンドル本体４１と調整クランプシート４２を包含する。該ハンドル本体４１は略弓形体とされ、その両端が折り曲げられて二つの挿入部４１１が形成され、且つ該挿入部４１１は錐状を呈し、それは自由端より別端に向けてその外径が拡大され、各該挿入部４１１の外側位置に凸柱４１２が凸設され、二つの該凸柱４１２は挿入溝１３１より長孔１３２を通って突出し、並びにネジ９１と螺合して該長孔１３２中に制限され、該ハンドル本体４１の中段位置に弾性を有して僅かに変化可能な凹溝４１３があり、該凹溝４１３の一側壁面に嵌合溝４１４が設けられている。該調整クランプシート４２はＣ形クランプ形態とされ、挟持溝４２１を具え、並びに該調整クランプシート４２の外側に嵌合部４２２が凸設され、該調整クランプシート４２が該嵌合部４２２により該ハンドル本体４１の嵌合溝４１４中に係合されて該凹溝４１３内に固定され、また、該調整クランプシート４２は該凹溝４１３より取りだし可能とされる。
【００２４】
以上は本考案の提供するモップ脱水機１００の各部部品及びその組立方式の紹介である。続いて本考案の使用特徴を述べる。
【００２５】
モップ（図示せず）の脱水作業を行う時は、該モップのヘッドを該回転盤３０内に置き、並びに該ハンドル４０を平置位置から直立位置に回転させ（図８）、該凹溝４１３が該回転盤３０の中心位置に対応するようにし、さらにハンドル４０の挿入部４１１を下向きに桶体１０の挿入溝１３１中に挿入し、傾斜度或いは錐度の緊迫効果を利用して該ハンドル４０をしっかりと直立位置に固定し（図７）、並びに該モップの柄を該凹溝４１３内に置き、該凹溝４１３の周壁により該柄を弾性挟持させる。続いて使用者はバネ２２１の作用を受けて踏み込み開始位置にあるペダル２２を踏み、該ペダル２２を回転させて踏み込み終点位置となす。該ラック２２２は該伝動歯車２５３を回転させ、これら遊星歯車２５２が環状歯２１４の内周に沿って自転しつつ該太陽歯車２５１に対して公転し、並びに該太陽歯車２５１を駆動して回転させ、太陽歯車２５１内に置かれた逆止め軸受２６により該回転軸２７が駆動されて該回転盤３０を駆動して回転し、モップヘッドに対して脱水を行う。
【００２６】
使用者がペダル２２を開放すると、該ペダル２２は該バネ２２１の作用により回転して踏み込み始点に戻り、使用者は続けてペダル２２を踏むことができる。ペダル２２がバネ２２１の作用を受けて踏み込み終点から踏み込み始点に戻る時、該逆止め軸受２６は該回転軸２７と空転を形成し、これによりこの行程では回転軸２７を駆動して回転させることがない。
【００２７】
ゆえに、ペダル２２が踏み込み始点から踏み込み終点へと回転する時、該伝動歯車２５３はラック２２２に駆動され、該伝動歯車２５３の伝動環歯５３２が一周回転し、すなわちこれら遊星歯車２５２が環状歯２１４に沿って一周公転する時、これら遊星歯車２５２が一周公転する行程中、相当多くの周数を自転し、これにより太陽歯車２５１と回転軸２７を多周回転させ（図６）、増速の効果を達成する。これにより使用者がペダルを踏む時に省力でき、時間も節約できる。
【００２８】
且つ、該ハンドル４０が直立位置にある時、該挿入部４１１が桶体１０の挿入溝１３１中に挿入され、該挿入溝１３１内面には斜面或いは錐面の設計が設けられ、並びにそれとマッチングするハンドル４０にも、対応する斜度或いは錐度の設計があるため、ハンドル４０がしっかりと直立位置の状態に位置決めされ、並びに挿入溝１３１の内面に安定して挟持され、回転盤３０が回転する時、該ハンドル４０が安定した状態を現出し、振動或いはぐらつきを発生しにくく、使用者が握持して桶体を所定の位置に持ち運ぶのに使用され、並びにハンドルに使用上の便利性が増され、並びにモップ糸の水分を撥ね飛ばす時、モップの柄の振動或いはぐらつきが比較的小さく、使用上、手軽で便利である。ハンドル４０が平置位置にある時は、該ハンドル４０を僅かに引き上がるだけで、挿入部４１１が挿入溝１３１より離脱し（すなわち、該凸柱４１２が長孔１３２に沿って上下に移動可能である）、該ハンドル４０が回転して平置位置となり、且つ該挿入溝１３１の開口の一側にストッパブロック１３３が設けられているため、該ハンドル４０が所定方向に回されるだけで、該ハンドル４０が凹溝４１３の開口を上にする方式で平置きされる。このほか、比較的柄の直径の小さいモップの水きりをする時は、該調整クランプシート４２を該凹溝４１３中に嵌め込み、該挟持溝４２１で柄を挟持すればよく、本考案の適用性が増されている。
【符号の説明】
【００２９】
１００  モップ脱水機
１０  桶体                  １１  動力収容室
１２  積水収容室            １３  凸耳
１３１  挿入溝              １３２  長孔
１３３  ストッパブロック    ２０  伝動装置
２１  底座                  ２１１  底板
２１３  収容室              ２１４  環状歯
２１２  立柱                ２２  ペダル
２２１  バネ                ２２２  ラック
２３  位置決め軸受          ２４  フライホイール
２４１  貫通孔              ２５  遊星歯車セット
２５１  太陽歯車            ２５５  穿孔
２５６  ストッパ縁          ２５２  遊星歯車
２５７  連接孔              ２５３  伝動歯車
５３１  遊星枠              ５３２  伝動環歯
５３３  連接柱              ２５４  カバー
２６  逆止め軸受            ２７  回転軸
３０  回転盤                ４０  ハンドル
４１  ハンドル本体          ４１１  挿入部
４１２  凸柱                ４１３  凹溝
４１４  嵌合溝              ４２  調整クランプシート
４２１  挟持溝              ４２２  嵌合部
９１  ネジ
【図１】
0003152259.tif 000003
【図２】
0003152259.tif 000004
【図３】
0003152259.tif 000005
【図４】
0003152259.tif 000006
【図５】
0003152259.tif 000007
【図６】
0003152259.tif 000008
【図７】
0003152259.tif 000009
【図８】
0003152259.tif 000010